(57)【要約】【課題】軽重両用で局部的交換が可能なプラスチックパレットを提供すること。【解決手段】ベース座体を含むプラスチックパレットであって、ベース座体が、開口挟持部、延伸部、アーチ部、第１支持部、第２支持部を含むベース部を含む。プラスチック成型方式と網状片体により各セクションを連結して完全なベース座体が形成され、ベース座体の結合後、重圧に耐え得る組み立て式プラスチックパレットを形成でき、開口挟持部に予め滑入槽が設けられ、滑入槽に係合部材が設置され、異なるベース座体を容易に結合でき、かつより丈夫に結合され、ベース座体の耐荷重性を増加するため、各開口挟持部の上方に金属梁棒を収容できる空間が設けられ、水平方向と垂直方向のベース座体を結合した後、骨幹を備えた組み立て式プラスチックパレットが形成される。【選択図】図１
2012240753.tif 000002
【特許請求の範囲】
【請求項１】
水平方向及び垂直方向に相互に結合される複数のベース座体を含むプラスチックパレットであって、
前記各ベース座体が、
複数の開口挟持部を含むベース部と、
前記ベース部に連接された少なくとも１つの延伸部と、
前記延伸部の間に形成された少なくとも１つのアーチ部と、
前記延伸部に位置する第１支持部と、
前記ベース部に位置する第２支持部と、を含み、
前記開口挟持部の開口方向が第１方向または第２方向に向いており、前記ベース座体を相互に結合して複数の平台を共同で構成し、大きい負荷に耐える基礎としたことを特徴とする、プラスチックパレット。
【請求項２】
水平方向及び垂直方向に相互に結合される複数のベース座体を含むプラスチックパレットであって、
前記各ベース座体が、
複数の開口挟持部を含むベース部と、
前記ベース部に連接された少なくとも１つの延伸部と、
前記延伸部の間に形成された少なくとも１つのアーチ部と、
前記ベース部に位置する第１支持部と、
前記延伸部に位置する第２支持部と、を含み、
前記ベース座体中において、前記開口挟持部に臨む箇所にそれぞれ梁棒が設置され、前記支持部に位置し、耐荷重性を高めるためにもちいられ、予め定めた各前記開口挟持部を相互に連結した後、水平、垂直に交差する梁を備えた形態を形成することを特徴とする、プラスチックパレット。
【請求項３】
前記梁棒が前記開口挟持部から前記ベース座体に貫通され、その設置方法が、プラスチック成型方式による前記梁棒と前記第１支持部の結合であり、且つ前記第１支持部と前記第２支持部がそれぞれ網状構造体を形成し、前記網状結構体がＸ字形、Ｅ字形、Ｙ字形、およびそれらの組み合わせの群で構成した構造を含み、重圧に耐え得る鉄骨構造式の機構体を形成することを特徴とする、請求項２に記載のプラスチックパレット。
【請求項４】
前記梁棒が前記開口挟持部から前記ベース座体に貫通され、その設置方法が、各前記ベース座体の成型時に予め収容空間を留めておき、外部から前記梁棒を前記収容空間に挿入し、金属の梁棒を挿入したベース座体を形成することを特徴とする、請求項２に記載のプラスチックパレット。
【請求項５】
前記ベース座体の結合後、各前記ベース座体間の距離が離れた空隙を減少するために用いる複数のプラスチックデッキボードを含み、前記プラスチックデッキボードが係合構造部を含み、そのうち各前記プラスチックデッキボードが、プラスチック片体から網状に連結する方式で形成され、前記プラスチックデッキボードと各前記ベース座体の交差箇所が前記係合構造部により結合され、かつ各前記ベース座体の交差箇所に前記プラスチックデッキボードの耐圧性を強化するために用いる延伸支持片を含むことを特徴とする、請求項１または２に記載のプラスチックパレット。
【請求項６】
前記プラスチックパレットが、４つのベース座体、６つのベース座体または８つのベース座体を組み立てて構成され、且つ前記プラスチックデッキボードを組み合わせ各前記ベース座体上に位置決めして成ることを特徴とする、請求項５に記載のプラスチックパレット。
【請求項７】
各前記開口挟持部が滑入槽と係合部材を含み、そのうち、前記滑入槽が三角形スライド槽を含み、前記梁棒を前記滑入槽に沿ってあらかじめ定めた位置に進入させ、位置決め後、前記係合部材で係止でき、且つ前記滑入槽が切開線を含み、各前記ベース座体を上下に連結後、前記切開線が各前記ベース座体に前記開口挟持部において弾性を持たせ、圧力を解消することを特徴とする、請求項１または２に記載のプラスチックパレット。
【請求項８】
前記第１支持部と前記第２支持部が網状構造体を含み、プラスチック押出成型によりＸ字形、Ｙ字形、Ｅ字形、Ｍ字形、矩形及びそれらの組み合わせの群の構造が形成され、前記ベース座体の各面内部を連接するために用いられることを特徴とする、請求項１または２に記載のプラスチックパレット。
【請求項９】
各前記ベース座体が複数の位置決め槽を含み、前記基板または上下のパレット間の前記支持柱または支持面板の位置決めに用いられることを特徴とする、請求項１または２に記載のプラスチックパレット。
【請求項１０】
各前記位置決め槽が各前記基板を結合するために用いられる少なくとも１つの結合部材を含むことを特徴とする、請求項１または２に記載のプラスチックパレット。
【請求項１１】
前記結合部材が、スナップ、重ねボタン（ｓｔａｃｋｅｄ  ｂｕｔｔｏｎｓ）、円形ボタンまたはフックを含み、前記基板を配置した後自動的に係止し、且つ加圧または横移動の方式で前記結合部材を緩め、係止を解除するために用いられることを特徴とする、請求項１０に記載のプラスチックパレット。
【発明の詳細な説明】
【技術分野】
【０００１】
本発明はパレットに関し、特に、軽重両用の局部交換型プラスチックパレットに関する。
【背景技術】
【０００２】
パレットは一般に貨物輸送において非常によく見受けられる補助用具である。一般的な従来のパレットは、ほとんどが複数の木片または木板を相互に交差させ、釘で固定して組み立て、平らな台のような座体を形成し、その上部に貨物を置くために供されるデッキ面を形成している。該デッキ面の下方には足桁を設置してデッキ面の高さを嵩上げして、積載する貨物が地面に近すぎて湿気を受けることがないようにしたり、或いは地面上でほかの汚染物質によって汚損したりすることがないように使用される。
【０００３】
現在の市場におけるパレットの態様はほとんどが木製パレット、紙製パレット、プラスチックパレット、鉄合金パレットのいずれかに分類される。最も広く使用されているのは木製パレットである。その全体構造がすべて木製で組み立てられているため、大量に樹木を伐採しなければ一定数量の木製パレットを作ることができない。しかしながら、大量に樹木を伐採すると、地球の緑林が急速に消失してしまうほか、環境保護意識が日増しに高まっている現在の国際的潮流とも相容れない。さらに、木製パレットは全体が固定化されており、一箇所に損傷があると損傷がある箇所を新しく交換するというだけでなく、木製パレット全体を廃棄処理しなければならなくなることさえある。組み立てが完了した木製パレットは規格も固定化されており、収納時に折りたたんで収納することもできないため、空間を有効利用できない。
【０００４】
紙パレット、プラスチックパレット、鉄合金パレット等のその他異なる態様のパレットにあっては、構造の違いにより、その積載可能な荷重にも当然限度があるが、一般にパレットを運用して積載する貨物はほとんどが相当の重量を有しているため、一部が損壊すると全体を廃棄処理しなければならず、大量の資源を消耗することになる。したがって、局部的に交換して機能を回復することができれば、自然資源を大幅に節約することができる。
【０００５】
このため、いかにパレットの構造を改良し、使用上の利便性を増進すると同時に、良好な積載能力を具備させるかが、本発明の発明者及び問う業者が改善を望む課題である。
【発明の概要】
【発明が解決しようとする課題】
【０００６】
本発明は上記した点に鑑みて成されたもので、本発明の目的とするところは、軽重両用で局部的交換が可能なプラスチックパレットを提供することにある。
【課題を解決するための手段】
【０００７】
本発明のプラスチックパレットは、水平方向と垂直方向に組み立てられるベース座体を含み、各水平方向ベース座体は、ベース部を含み、そのうちベース部が複数の開口挟持部、延伸部、アーチ部、第１支持部、第２支持部を含み、立体式の網状支持構造で各部材が連結され、立体化されたベース座体が形成される。また、本発明のプラスチックパレットはさらに、プラスチック押出で成る垂直方向ベース座体を含み、各垂直方向ベース座体が、ベース部を含み、そのうちベース部が複数の開口挟持部、延伸部、アーチ部、第１支持部、第２支持部を含み、立体式の網状支持構造で各部材が連結され、立体化されたベース座体が形成される。
【０００８】
前記ベース座体は、水平方向と垂直方向に交差させてそれぞれあらかじめ設けられた各開口挟持部が開口対開口で噛み合わされて結合され、複数の水平のベース座体と垂直のベース座体を備えたプラスチックパレットが形成される。そのうち、開口挟持部はその内部にあらかじめ滑入槽が設けられ、滑入槽の箇所にあらかじめ切開線を設けておき、切開線に沿った接合点にあらかじめ係合部材（または突起と孔の組み合わせ）が設けられ、２つの異なる向きの開口挟持部を滑入槽に基づいて相互に滑入させることができ、また、位置決め時は係合部材を嵌着して固定し、水平方向と垂直方向のベース座体をしっかりと結合させることができるが、また同時にあらかじめ切開線が設けられており、滑入槽が弾性を具備しているため、分離したい場合もこの係合部材は容易に分離することができる。このため、組み立てと分解が自在なプラスチックパレットを生成することができる。
【０００９】
また本発明は延伸部とアーチ部を備え、延伸部の間から内側に向かってベース部から徐々に内に狭くなる形状の弓のようなアーチ部が設けられ、フォークリフトのフォークを伸入させることができ、水平方向または垂直方向のベース座体のいずれもフォークリフトのフォークを伸入させることができるアーチ部を備えており、便利にフォークリフトに合わせて各方向からパレットにフォークを伸入させて使用でき、また延伸部があるためアーチ部の受ける力が均一になり、ベース座体が折れにくくなっている。
【００１０】
本発明はまた網状の構造体を提供し、力学的構造で、軽く軟らかなプラスチック材質をＸ、ヨ、口、Ｙ字形等の方式で交差させて成型し、応力を生み出すと共に、しっかりと各セクションを連結する立体網状構造の片体群を形成することができる。
【００１１】
本発明はさらに高負荷に耐えるプラスチックパレットを提供し、ベース座体が水平方向と垂直方向を含んで構成され、各水平方向のベース座体がベース部を含み、そのうちベース部が開口挟持部、延伸部、アーチ部、第１支持部、第２支持部を含み、かつベース座体を貫通する梁棒と各セクションを連結する立体式の網状支持構造を備えている。
【００１２】
同時に複数の垂直方向ベース座体を含み、各垂直方向ベース座体が、ベース部を含み、そのうちベース部が開口挟持部、延伸部、アーチ部、第１支持部、第２支持部を含み、かつベース座体を貫通する梁棒と、各セクションを連結する立体式の網状支持構造を備え、前記立体式の網状支持構造はプラスチック押出成型で、Ｘ、Ｙ、ヨ、口字形等で連結を形成した片体群であり、各セクションをしっかりと結合してベース座体を成す。
【００１３】
また、水平方向のベース座体及び垂直方向のベース座体をその開口挟持部や開口対開口で上下に相互に交差させて結合させ、結合された複数の水平、垂直方向のベース座体で複数のベース座体を組み立ててなる二方向の梁棒を備えたプラスチックパレットを形成する。
【００１４】
また、梁棒の設置は、同じ材料の場合、ベース座体、延伸部、アーチ部と一体押出成型を採用し、立体式の網状支持構造と梁棒が大木と枝のように緊密に結合された一体として成型してもよく、また金属類などの異なる材質を梁棒として採用してもよく、この場合、開口挟持部の上部から平行にベース座体を貫通する円形孔をあらかじめ形成しておくなど、あらかじめ各ベース座体の梁棒を入れる点に収容空間を残しておけば、後でベース座体にそれぞれ必要な梁棒を取り付けることができる。このため、開口挟持部を備え、開口挟持部内に滑入槽があり、滑入槽が係合部材を備え、ベース座体に延伸部及びアーチ部があり、各部材間が網状構造体で連結されて支持を形成し、複数のベース座体を組み立てた後交差した梁棒を備え、重圧にも耐えることができるプラスチックパレットを形成することができる。
【発明の効果】
【００１５】
本発明に係るプラスチックパレットは、従来の技術でパレットの耐荷重性を高め、パレットの断裂または係合部材箇所の損壊を減少し、且つ一部が損壊したときに迅速に局部のみを交換でき、資源の無駄を減らして、環境保護と省エネ、廃棄物減少の趣旨をより満たすという目的を達することができる。
【００１６】
以下の発明を実施するための形態で、本発明の詳細な特徴及び利点を詳細に説明する。その内容は当業者が本発明の技術内容を理解してこれに基づき実施するに足るものであり、且つ本明細書で開示する内容、特許請求の範囲、図面によれば、あらゆる当業者が本発明の関連の目的及び利点を軽易に理解できるであろう。
【図面の簡単な説明】
【００１７】
【図１】本発明のプラスチックパレット全体の立体外観図である。
【図２】本発明のプラスチックパレットの立体分解図である。
【図３】本発明の水平方向のベース座体と垂直方向のベース座体の立体分解図である。
【図４】本発明の水平方向のベース座体とプラスチックデッキボードの立体分解図である。
【図５】本発明の水平方向のベース座体、垂直方向のベース座体とプラスチックデッキボードの分解断面図である。
【図６】本発明の水平方向のベース座体、垂直方向のベース座体とプラスチックデッキボードの組み立て断面図である。
【発明を実施するための形態】
【００１８】
以下図面を参照しながら本発明の実施の形態について説明する。
【実施例１】
【００１９】
図１と図２に本発明の実施例１のプラスチックパレットを示す。本発明のプラスチックパレットの全体外観構造は、水平方向と垂直方向に相互に結合された複数のベース座体１０を含む。そのうち、各ベース座体１０はベース部１１、延伸部１７、アーチ部１８、第１支持部１６、第２支持部１６ａを含んで構成される。
【００２０】
図２に本発明のプラスチックパレットの立体分解図にベース座体１０が水平方向と垂直方向に相互に結合される様子を示す。水平方向ベース座体１０は概ね細長い方形の片体構造を成し、ＰＥまたはＰＰ、プラスチック合成材質から製造されることを最良とする。そのうちベース座体１０はベース部１１を備え、これに基づいて、ベース部１１は複数の開口挟持部１３を備えており、かつ間隔をあけて排列される。本実施例において、開口挟持部１３の数量は３つ設置することを最良とするが、本発明はこれに限定されず、開口挟持部１３の数量は使用者の必要に応じて増減することができる。開口挟持部１３の形状は水平方向と垂直方向のベース座体を相互に開口対開口で噛み合わせるという目的を達するに足るものとし、その外観は略矩形であり、その内部に開口が設けられ、開口対開口の矩形で相互を挟持できる。また開口挟持部１３内にさらに滑入槽１３ａが設けられ、開口挟持部１３が滑入槽１３ａで相互に結合できる。そのうち、滑入槽１３ａが三角形スライド槽を含むが、本発明はこれに限定されない。そのうち、結合を強化し、結合後より丈夫にするために、さらに滑入槽１３ａ内に切開線１５を設けてもよく、且つ切開線１５の後端にあらかじめ係合部材１４を設け、そのうち係合部材１４は円形のツメを最良とする。目的は２つのベース座体の結合時、滑入槽に沿って円滑に滑入させた後、係合部材１４を設けているため、自動的に係止され、ベース座体の結合が丈夫になり、また滑入槽１３ａにあらかじめ切開線１５を設けているため、ベース座体が間隙と弾性を備えていることで、後に２つの異なる向きのベース座体を分離して分解が簡単にできるようになり、損壊部位の交換と複数回の組み立てを実現するという目的を達することができる。
【００２１】
また、本実施例においては、ベース部１１に内側に向かってアーチ状に狭くなったアーチ部１８が延伸部１７の間に形成される。これはフォークリフトのフォークを水平方向または垂直方向に本プラスチックパレットに便利に進入させることができるようにするためである。また２つのベース座体の交差される点が自然に十字を形成するため、強固な荷重を担う基礎が提供される。
【００２２】
また、本実施例において、第１支持部１６と第２支持部１６ａはそれぞれ網状の構造体を形成し、Ｘ、Ｙ、ヨ、口字形などの方式でベース座体の各セクションを連結して上、下、左、右等の立体支持群が形成される。本発明のプラスチックパレットは軽く、耐荷重性があり、かつ自由に組み立てと分解ができるため、軽易に損壊したベース座体を取り外して交換し、本来の機能を維持でき、パレット全体を廃棄する必要がなく、節約と廃棄物減少という環境保護機能を提供する。
【００２３】
また、本実施例においては水平ベース座体と垂直ベース座体の間の空間を縮小し、積載物の体積が小さいとき空隙中に落下することがないようにするため、嵌入式プラスチックデッキボード３０を設置してもよく、このプラスチックデッキボード３０は中空でプラスチック押出成型から成る網状連結の方式であり、ベース座体１０との連結箇所にあらかじめ係合構造部３１が設けられ、プラスチックデッキボード３０を便利かつ迅速にベース座体１０に組み込むことができる。また、プラスチックデッキボード３０は網状の片体を弓状に延伸してベース座体１０と連結されるため、プラスチックデッキボード３０の耐圧性がより強化される。
【００２４】
本実施例における水平ベース座体１０及び垂直ベース座体１０の設置数は、パレットが必要とする耐荷重性によって決定でき、たとえば４つのベース座体１０、６つのベース座体１０または８つのベース座体１０の組み合わせで構成することができ、かつプラスチックデッキボード３０を組み合わせて各ベース座体１０上に配置する。前述のベース座体１０の数量は単に例を挙げたのみであり、本発明はこれに限定されない。
【実施例２】
【００２５】
図３に本発明の実施例２の梁棒１２を備えた分解可能なプラスチックパレットを示す。プラスチックパレットの耐荷重性を高めるために、本発明は特に梁棒１２を備えた構造を提示するものであり、組み立てと分解が可能なプラスチックパレットであって、梁棒１２は概ね細長い円柱状であり、鉄やアルミ合金などの金属材質から製造することを最良とするが、本発明はこれに限定されない。その設置方法は、まずプラスチックから構造の必要性に応じて水平方向及び垂直方向のベース座体１０を成型する。水平方向ベース座体１０は、ベース部１１、複数の開口挟持部１３、複数の延伸部１７、複数のアーチ部１８によりベース座体１０の主要部位が構成され、且つプラスチック押出で成る片体は、建築において鋼梁を相互に連結する鉄骨構造式の方式を採用し、網状構造の片体を支持として用いて各前記主要部位が連結され、上層、即ちベース部１１の区域は第１支持部１６と呼び、下層、即ち延伸部１７の区域は第２支持部１６ａと呼ぶ。
【００２６】
垂直方向のベース座体１０も、ベース部１１、複数の開口挟持部１３、複数の延伸部１７、複数のアーチ部１８からベース座体１０の主要部位が構成され、その開口挟持部１３の開口が下向きであるため、垂直方向のベース座体１０と定義する。各主要部位もプラスチック押出成型の片体により、建築において鋼梁を相互に連結する鉄骨構造式の方式で、プラスチック押出で、網状構造の片体を形成し、各部材を連結する基礎として、ベース座体の支持部が形成される。
【００２７】
さらに梁棒１２をあらかじめ用意する。本発明の各ベース座体１０の相互結合後の耐荷重性を強化且つ高めるために、特に梁棒１２の構造を追加しており、即ち、図３に示すように、各ベース座体１０の開口挟持部１３の設定箇所に梁棒を追加設置し、ベース座体１０を水平及び垂直に相互に結合した後、梁棒１２が十字に交差されたプラスチックパレットが形成され、このため本発明のパレットの耐荷重性と耐圧性が高められる。
【００２８】
梁棒１２を設置する方法は、一体成型法を含み、水平方向、垂直方向のベース座体１０中に、各主要部位を連結する片体(即ち、第１支持部１６と第２支持部１６ａ)を設置するとき、あらかじめ梁棒１２を用意しておき、梁棒１２とその連結される第１支持部１６の片体間の連結方式は、梁棒１２を中心としてＸ、Ｙ、＜、＞、Ｈ字形等の構造の連結体を形成する方式で、プラスチック押出成型後、即ち一体成型で、梁棒１２を備えた水平方向または垂直方向の組み立てと分解が可能なベース座体１０となり、荷重の圧力に耐えることができる鉄骨構造式の機構体を形成するために用いられる。
【００２９】
さらに、設置方法はあらかじめ空間を残しておく方法を含む。水平方向と垂直方向のベース座体１０の各部位は第１支持部１６の片体の連接時、金属材を配置するための収容空間２０をあらかじめ測定して位置決めしておき(図３、図５、図６参照)、ベース座体１０の全体を成型した後に設置する位置も完成させる。このとき、必要に応じて外部から必要な直径の大きさの金属棒体を入れてもよく、それにより事前にあらかじめ位置を留めておくため、ロック部も形成することができ(図示しない)、棒体を入れて水平方向ベース座体と垂直方向ベース座体の連結固定後に固定し、梁棒１２を取り出したいときは、ロック部を開いて取り出すことができる。
【００３０】
梁棒１２を備えた水平方向のベース座体１０と垂直方向のベース座体１０は、双方が各開口挟持部１３の相対するインターフェイスで、図３に示すように、複数のベース座体１０が相互に連結され、１つの独立したパレットが構成される(図１参照)。本発明はさらに、プラスチックデッキボード３０でベース座体１０とベース座体１０間の空隙を縮小することを提出する。
【００３１】
図３と図４に示すように、このプラスチックデッキボード３０は、プラスチック網状構造を相互に連結して成るプラスチックデッキボード３０であり、ベース座体１０とのインターフェイスの場所にはそれぞれベース座体１０とその連結箇所にあらかじめ連結のための係合構造部３１が設けられ、そのうち、係合構造部３１は上下のスナップ、重ねボタン（ｓｔａｃｋｅｄ  ｂｕｔｔｏｎｓ）、円形ボタンまたはフックとすると最良であり、プラスチックデッキボード３０とベース座体１０を固定するために用いられる。さらに、各ベース部１１は複数の位置決め槽４０を備え、各プラスチックデッキボード３０の位置決めに用いられる。これに基づいて、この各位置決め槽４０は結合部材４１を備え、各プラスチックデッキボード３０の結合に用い、プラスチックデッキボード３０をよりしっかりとベース座体１０上に配置して固定することができる。分解時は、基板を入れた後自動的に係止するために用いるスナップを開き、且つ加圧または横移動方式で係止を緩めて、これらの結合部材を解除する。これで簡単にプラスチックデッキボード３０を取り外すことができる。
【００３２】
本発明は水平のベース座体と垂直のベース座体が梁棒を備え、ベース座体を相互に開口挟持部で結合すると、梁棒の設置によって水平のベース座体と垂直のベース座体の構造強度が高まる。且つ、水平ベース座体と垂直ベース座体による座体の中空状空間が相互に交差する支持部を形成し、これも水平方向と垂直方向の強度をより一層高め、トルクと対角せん断力が増加し、従来のパレットが動態荷重に耐えられず、パレットの断裂や組み立て時に結合された係合部材箇所の損壊を招く問題を解決することができる。
【００３３】
本発明は水平方向ベース座体が梁棒及び開口挟持部を備え、垂直方向ベース座体が梁棒及び開口挟持部を備え、これらにより垂直の交差結合を形成し、圧力が加わったときのパレットのトルクとせん断力を高めているが、軽量の輸送時は、高重量の動態負荷がないため、各ベース座体の梁棒構造をなくしてもよい。但し、各座体の開口挟持部は保持し、６部材や８部材の組み合わせとせずに４部材とデッキボードの組み合わせを採用し、井の字の方式で交差させて相互に組み立てて形成することで、材料を節約し、柔軟に組み合わせるという目的を達することができる。
【００３４】
本発明の提供するプラスチックパレットはさらに、使用状況に応じて柔軟に組み合わせるという用途も提供し、損壊が起こったとき、その損壊したベース座体または損壊したデッキボードだけを個別に交換することができ、組み立て式であるため軽易に交換が可能であり、本来の機能に影響せず、耐用性と持久性を高めることができ、従来のプラスチックパレットにおいて損壊が生じるとパレット全体を廃棄しなければならない状況とは異なり、材料の節約と廃棄物減少という環境保護のニーズを満たすことができる。
【符号の説明】
【００３５】
１０      ベース座体
１１      ベース部
１２      梁棒
１３      開口挟持部
１３ａ    滑入槽
１４      係合部材
１５      切開線
１６      第１支持部
１６ａ    第２支持部
１７      延伸部
１８      アーチ部
２０      収容空間
３０      プラスチックデッキボード
３１      係合構造部
４０      位置決め槽
４１      結合部材
【図１】
2012240753.tif 000003
【図２】
2012240753.tif 000004
【図３】
2012240753.tif 000005
【図４】
2012240753.tif 000006
【図５】
2012240753.tif 000007
【図６】
2012240753.tif 000008